(57)【特許請求の範囲】
【請求項１】
本スキャンとして、撮像領域に傾斜磁場を印加すると共に励起パルスを送信することで、前記撮像領域から核磁気共鳴信号を収集すると共に前記核磁気共鳴信号を周波数空間データとして保存するデータ収集部と、
前記周波数空間データに対して、実空間データに変換する変換処理と、前記傾斜磁場の非線形性に因る画像歪の補正方法を規定する歪補正データに基づく補正処理とを施すことで、画像データを生成する画像再構成部と
を備えた磁気共鳴イメージング装置であって、
前記画像再構成部は、前記本スキャンの条件の内、前記歪補正データの計算に用いられる条件の確定後、前記変換処理の実行前に、前記歪補正データの計算を開始し、
前記画像再構成部による前記歪補正データの計算と、前記歪補正データの計算以外の処理とを並行して実行する、
ことを特徴とする磁気共鳴イメージング装置。
【請求項２】
前記画像再構成部は、前記撮像領域の確定後、前記撮像領域に基づいて前記歪補正データの計算を開始することを特徴とする請求項１記載の磁気共鳴イメージング装置。
【請求項３】
前記画像再構成部は、前記撮像領域が確定したタイミングに同期して、前記歪補正データの計算を開始することを特徴とする請求項２記載の磁気共鳴イメージング装置。
【請求項４】
前記データ収集部により前記本スキャンが実行されている期間に、前記画像再構成部は前記歪補正データを計算することを特徴とする請求項１記載の磁気共鳴イメージング装置。
【請求項５】
前記本スキャンの一部の条件の決定に用いられる前記核磁気共鳴信号を収集するプレスキャンが実行されている期間に、前記画像再構成部は前記歪補正データを計算することを特徴とする請求項１記載の磁気共鳴イメージング装置。
【請求項６】
プレスキャンとして、前記本スキャンの一部の条件の決定に用いられる前記核磁気共鳴信号を前記本スキャンの前に収集するプレスキャン実行部をさらに備え、
前記プレスキャンの実行後、前記本スキャンが実行される前の期間に、前記画像再構成部は前記歪補正データを計算することを特徴とする請求項１記載の磁気共鳴イメージング装置。
【請求項７】
撮像領域に傾斜磁場を印加すると共に励起パルスを送信することで、画像の生成元となる核磁気共鳴信号を前記撮像領域から収集し、収集した前記核磁気共鳴信号を周波数空間データとして保存するデータ収集部と、
前記周波数空間データに対して、実空間データに変換する変換処理と、前記傾斜磁場の非線形性に因る画像歪の補正方法を規定する歪補正データに基づく補正処理とを施すことで、前記画像を示す画像データを生成する画像再構成部と
を備えた磁気共鳴イメージング装置であって、
一の画像の前記撮像領域と、過去に生成された別の画像の前記撮像領域とで、少なくとも一部が装置座標系において重複する場合、前記画像再構成部は、前記一の画像を示す画像データの生成時において、前記別の画像を示す画像データの生成時に用いられる前記歪補正データを用いて前記補正処理を実行することを特徴とする磁気共鳴イメージング装置。
【請求項８】
前記画像再構成部は、前記撮像領域に基づいて前記歪補正データを計算し、前記歪補正データを磁気共鳴イメージング装置の外部又は内部に保存させるように構成され、
一の撮像シーケンス内で同一の撮像領域が繰り返して撮像される場合、前記画像再構成部は、前記同一の撮像領域の画像データの生成時には共通の前記歪補正データを用いる
ことを特徴とする請求項７記載の磁気共鳴イメージング装置。
【請求項９】
前記一の撮像シーケンスとして、同期撮像、ダイナミック撮像、拡散強調イメージングのいずれか１つを実行することを特徴とする請求項８記載の磁気共鳴イメージング装置。
【請求項１０】
前記画像再構成部は、生成対象となっている画像データと、過去に生成された画像データとで装置座標系において撮像領域の重複部分があるか否かを判定し、判定結果が肯定的な場合には、前記過去に生成された画像データの生成時に用いられた前記歪補正データを取得し、取得した前記歪補正データを用いて前記補正処理を実行することを特徴とする請求項７記載の磁気共鳴イメージング装置。
【請求項１１】
前記データ収集部は、第１の本スキャンとして前記核磁気共鳴信号を収集して周波数空間データとして保存後、前記第１の本スキャンとはパルスシーケンスが異なる第２の本スキャンとして前記核磁気共鳴信号を収集して周波数空間データとして保存し、
前記画像再構成部は、前記第１の本スキャンの撮像領域と、前記第２の本スキャンの撮像領域とで重複部分があるか否かを判定する
ことを特徴とする請求項１０記載の磁気共鳴イメージング装置。
【請求項１２】
傾斜磁場を印加すると共に励起パルスを送信することで、画像の生成元となる核磁気共鳴信号を被検体から収集し、収集した前記核磁気共鳴信号を周波数空間データとして保存するデータ収集部と、
前記周波数空間データに対して、実空間データに変換する変換処理と、前記傾斜磁場の非線形性に因る画像歪の補正方法を規定する歪補正データに基づく補正処理とを施すことで、前記画像を示す画像データを生成する画像再構成部と
を備えた磁気共鳴イメージング装置であって、
一の画像の少なくとも一部の画素と、過去に生成された別の画像の少なくとも一部の画素とが装置座標系で互いに同一位置を示す場合、前記画像再構成部は、前記一の画像を示す画像データの生成時において、前記同一位置を示す画素に対しては前記別の画像を示す画像データの生成時に用いられる前記歪補正データを用いると共に、残りの画素に対しては前記歪補正データを計算することで、前記補正処理を実行する
ことを特徴とする磁気共鳴イメージング装置。
【発明の詳細な説明】
【技術分野】
【０００１】
本発明の実施形態は、磁気共鳴イメージングに関する。
【背景技術】
【０００２】
ＭＲＩは、静磁場中に置かれた被検体の原子核スピンをラーモア周波数のＲＦパルスで磁気的に励起し、この励起に伴って発生するＭＲ信号から画像を再構成する撮像法である。なお、上記ＭＲＩは磁気共鳴イメージング(Magnetic Resonance Imaging)の意味であり、ＲＦパルスは励起パルスとしての高周波パルス(radio frequency pulse)の意味であり、ＭＲ信号は核磁気共鳴信号(nuclear magnetic resonance signal)の意味である。
【０００３】
ＭＲＩでは、様々な要因により画像歪が生じることが知られている。画像歪を生じさせる特に大きな要因として、傾斜磁場コイルによって撮像領域に形成される傾斜磁場の非線形性に起因する画像歪が挙げられる。
【０００４】
より詳細には、完全に線形な傾斜磁場を傾斜磁場コイルによって形成できれば、その強度分布は、撮像領域内の各座標位置に対して直線的に変化する。しかし、実際の傾斜磁場の強度分布は、完全な線形ではなく、特に磁場中心から離れた領域ほど、線形な強度分布とは違ったものとなる。従って、傾斜磁場が撮像領域内で完全に線形であると仮定してＭＲ信号の収集及び画像再構成処理を実行すると、傾斜磁場の非線形性によって撮像領域の外周部において各画素が位置ずれを起こす。この結果、再構成された画像は、空間的に歪んだものとなる。
【０００５】
傾斜磁場の非線形性に因る画像歪を補正するため、ＭＲＩ装置は、例えば、予め生成された歪補正テーブルで画像歪を補正する機能を備える。歪補正テーブルは、傾斜磁場コイルが形成する傾斜磁場の強度分布を予め測定又は計算し、撮像領域に設定された複数の代表点毎に、どの程度の位置ずれを起こすかを測定又は計算することで生成される。２次元歪補正では、２次元のスライス画像毎にスライス面内の方向の位置ズレが補正され、３次元歪補正では、マルチスライス撮像や３次元撮像で得られた３次元画像において３次元的に位置ズレが補正される（例えば特許文献１参照）。
【先行技術文献】
【特許文献】
【０００６】
【特許文献１】特開２０１０−２７９６０１号公報
【発明の概要】
【発明が解決しようとする課題】
【０００７】
傾斜磁場の非線形性に因る画像歪を補正する場合、例えば全スライスの各画素単位で、磁場中心からの距離に基づいて歪の補正量を計算する。一方で、近似のＭＲＩ装置は、位相エンコード数及び周波数エンコード数を増やすことで画像を高分解能化する方向にある。画像が高分解能化すれば、画像再構成処理に要する時間も長くなるので、画像再構成処理に要する時間の短縮が望まれている。従って、画像再構成処理に要する時間の中で、傾斜磁場の非線形性に因る画像歪の補正処理が占める割合が無視できなくなってきている。
【０００８】
このため、ＭＲＩにおいて、傾斜磁場の非線形性に因る画像歪の補正に要する時間を短縮する新規な技術が要望されていた。
【課題を解決するための手段】
【０００９】
以下、本発明の実施形態が取り得る態様の内の数例を各態様毎に説明する。
【００１０】
（１）一実施形態では、ＭＲＩ装置は、データ収集部と、画像再構成部とを備える。
データ収集部は、本スキャンとして、撮像領域に傾斜磁場を印加すると共に励起パルスを送信することで、撮像領域からＭＲ信号を収集すると共にＭＲ信号を周波数空間データとして保存する。
画像再構成部は、実空間データに変換する変換処理と、傾斜磁場の非線形性に因る画像歪の補正方法を規定する歪補正データに基づく補正処理とを周波数空間データに施すことで、画像データを生成する。画像再構成部は、本スキャンの条件の内、歪補正データの計算に用いられる条件の確定後、上記変換処理の実行前に、歪補正データの計算を開始する。
【００１１】
（２）別の一実施形態では、ＭＲＩ装置は、データ収集部と、画像再構成部とを備える。
データ収集部は、撮像領域に傾斜磁場を印加すると共に励起パルスを送信することで、画像の生成元となるＭＲ信号を撮像領域から収集し、収集したＭＲ信号を周波数空間データとして保存する。
画像再構成部は、実空間データに変換する変換処理と、傾斜磁場の非線形性に因る画像歪の補正方法を規定する歪補正データに基づく補正処理とを周波数空間データに施すことで、画像を示す画像データを生成する。
一の画像の撮像領域と、別の画像の撮像領域とで、少なくとも一部が装置座標系において重複する場合、画像再構成部は、一の画像を示す画像データの生成時において、別の画像を示す画像データの生成時に用いられる歪補正データを用いて上記補正処理を実行する。
【００１２】
（３）別の一実施形態では、ＭＲＩ装置は、データ収集部と、画像再構成部とを備える。
データ収集部は、傾斜磁場を印加すると共に励起パルスを送信することで、画像の生成元となるＭＲ信号を被検体から収集し、収集したＭＲ信号を周波数空間データとして保存する。
画像再構成部は、実空間データに変換する変換処理と、傾斜磁場の非線形性に因る画像歪の補正方法を規定する歪補正データに基づく補正処理とを周波数空間データに施すことで、画像を示す画像データを生成する。
一の画像の少なくとも一部の画素と、別の画像の少なくとも一部の画素とが装置座標系で互いに同一位置を示す場合、画像再構成部は、上記一の画像を示す画像データの生成時において、上記同一位置を示す画素に対しては上記別の画像を示す画像データの生成時に用いられる歪補正データを用いると共に、残りの画素に対しては歪補正データを計算することで、補正処理を実行する。
【図面の簡単な説明】
【００１３】
【図１】各実施形態のＭＲＩ装置の全体構成を示すブロック図。
【図２】図１に示すコンピュータ５８の機能ブロック図。
【図３】傾斜磁場の非線形性の一例を示す模式図。
【図４】非線形な傾斜磁場の下で収集されたｋ空間データからフーリエ変換された実空間の画像データの各画素が、実際の撮像空間のどの位置からのＭＲ信号を反映したものかの一例を示す模式図。
【図５】ＭＲ信号を受信する装着型のＲＦコイル装置の一例として、上半身用ＲＦコイル装置の構成の一例を示す平面模式図。
【図６】図１のＲＦ受信器４８の詳細構成の一例を示すブロック図。
【図７】第１の実施形態に係るＭＲＩ装置の動作の流れの一例を示すフローチャート。
【図８】第１の実施形態の変形例に係るＭＲＩ装置の動作の流れの一例を示すフローチャート。
【図９】第２の実施形態に係るＭＲＩ装置の動作の流れの一例を示すフローチャート。
【図１０】第２の実施形態の変形例に係るＭＲＩ装置の動作の流れの一例を示すフローチャート。
【図１１】複数の画像間で、重複する撮像領域がある場合の一例を示す平面模式図。
【図１２】ＭＲＩ装置の外部に歪補正データを保存する場合の一例として、サーバに歪補正データを保存する場合のブロック図。
【図１３】第３の実施形態に係るＭＲＩ装置の動作の流れの一例を示すフローチャート。
【発明を実施するための形態】
【００１４】
第１の実施形態では、本スキャンの撮像領域の確定後、本スキャンで収集されたＭＲ信号のデータが実空間データに変換される前に、傾斜磁場の非線形性に起因する画像歪の補正方法を規定する歪補正データの計算を開始する。即ち、第１の実施形態では、例えば本スキャンなどの他の処理と並行して歪補正データを計算するので、本スキャン後の画像歪の補正に要する時間を短縮できる。
【００１５】
第２及び第３の実施形態では、歪補正データを保存及び再利用することで、上記画像歪の補正に要する時間を短縮する。具体的には、第２の実施形態では、同じ領域を繰り返し撮像する本スキャンを実行し、既に再構成された画像と同じ撮像領域の画像を再構成する場合に、保存された歪補正データを再利用する。第３の実施形態では、一の撮像シーケンス内に拘らず、再構成処理の対象の画像の撮像領域と、過去に再構成した別の画像の撮像領域とで、少なくとも一部が重複する場合に、歪補正データを再利用する。
以下、ＭＲＩ装置及びＭＲＩ方法の各実施形態について、添付図面に基づいて説明する。なお、各図において同一要素には同一符号を付し、重複する説明を省略する。
【００１６】
（各実施形態のＭＲＩ装置の構成）
図１は、各実施形態におけるＭＲＩ装置２０の全体構成を示すブロック図である。図１に示すように、ＭＲＩ装置２０は、筒状の静磁場磁石２２と、筒状のシムコイル２４と、傾斜磁場コイル２６と、ＲＦコイル２８と、制御装置３０と、寝台３２と、寝台３２上の天板３４とを有する。シムコイル２４は、静磁場磁石２２の内側において、静磁場磁石２２と軸を同じにして配置されている。
【００１７】
ここでは一例として、装置座標系の互いに直交するＸ軸、Ｙ軸、Ｚ軸を以下のように定義する。まず、静磁場磁石２２及びシムコイル２４は、それらの軸方向が鉛直方向に直交するように配置されているものとし、静磁場磁石２２及びシムコイル２４の軸方向をＺ軸方向とする。また、鉛直方向をＹ軸方向とし、寝台３２は、天板３４の載置用の面の法線方向がＹ軸方向となるように配置されているものとする。
【００１８】
なお、装置座標系とは、例えば、撮像領域の決定、傾斜磁場の印加やＲＦパルスの送信などの撮像動作の実行に際して、ＭＲＩ装置２０が位置や範囲を決めるための基準となる座標系である。ここでは一例として、装置座標系の原点及びＸ、Ｙ、Ｚ軸は、ＭＲＩ装置２０の電源がオフされて、ＭＲＩ装置２０が次回起動するときも不変であるものとする。例えば第３の実施形態では、ＭＲＩ装置２０の電源オンの前に（前回以前の起動時）に保存された歪補正データを再利用するので、歪補正データに対応する撮像領域を規定する装置座標系が不変であることが望ましいからである。
【００１９】
制御装置３０は、静磁場電源４０と、シムコイル電源４２と、傾斜磁場電源４４と、ＲＦ送信器４６と、ＲＦ受信器４８と、シーケンスコントローラ５６と、コンピュータ５８とを有する。傾斜磁場電源４４は、Ｘ軸傾斜磁場電源４４ｘと、Ｙ軸傾斜磁場電源４４ｙと、Ｚ軸傾斜磁場電源４４ｚとを有する。コンピュータ５８は、演算装置６０と、入力装置６２と、表示装置６４と、記憶装置６６とを有する。
【００２０】
静磁場磁石２２は、静磁場電源４０に接続され、静磁場電源４０から供給された電流により撮像空間に静磁場を形成させる。静磁場磁石２２は、超伝導コイルで構成される場合が多く、励磁の際に静磁場電源４０に接続されて電流が供給されるが、一旦励磁された後は非接続状態とされるのが一般的である。なお、静磁場電源４０を設けずに、静磁場磁石２２を永久磁石で構成してもよい。
【００２１】
上記撮像空間とは、例えば、被検体Ｐが置かれて、静磁場が印加されるガントリ内の空間を意味する。ガントリとは、静磁場磁石２２、シムコイル２４、傾斜磁場コイル２６、ＲＦコイル２８を含むように、例えば円筒状に形成された構造体である。被検体Ｐが乗せられた天板３４がガントリ内に移動できるように、ガントリ及び寝台３２は構成される。なお、図１では煩雑となるので、ガントリ内の静磁場磁石２２等の構成要素を図示し、ガントリ自体は図示していない。
【００２２】
撮像領域は、例えば、１画像又は１セットの画像の生成に用いるＭＲ信号の収集範囲の少なくとも一部であって、画像となる領域を意味する。撮像領域は、例えば装置座標系により、撮像空間の一部として位置的且つ範囲的に規定される。ＭＲ信号の収集範囲の全てが画像となる場合、即ち、ＭＲ信号の収集範囲と撮像領域とが完全合致する場合もあるが、両者が完全合致しない場合もある。例えば、折り返しアーチファクトを防止するために、画像となる領域よりも広い範囲でＭＲ信号を収集する場合、撮像領域は、ＭＲ信号の収集範囲の一部と言える。
【００２３】
上記「１画像」及び「１セットの画像」は、２次元画像の場合もあれば３次元画像の場合もある。「１セットの画像」とは、例えばマルチスライス撮像などのように、１のパルスシーケンス内で複数画像のＭＲ信号が一括的に収集される場合の「複数画像」である。ここでは一例として、撮像領域は、厚さの薄い領域であればスライスと称し、ある程度の厚みのある領域であればスラブと称することとする。
【００２４】
第１〜第３の実施形態では一例として、撮像領域（正確には、撮像領域を規定する情報の内、スライス厚以外の情報）に基づいて、前述した歪補正データを計算できるものとする。即ち、本スキャンの他の条件に拘らず、撮像領域に基づいて歪補正データを計算できるものとする。撮像領域が確定すれば、後に生成される各画像の撮像領域に対して傾斜磁場が本スキャンでどのように印加されるかがある程度定まるからである。
【００２５】
スライスとして撮像する場合（２次元的な画像データが得られるように撮像する場合）、撮像領域は、例えば、装置座標系でのスライスの中心の座標と、撮像視野(FOV: Field Of View)と、断面方向を規定するベクトルと、スライス厚とで規定される。上記撮像視野とは、例えば、画像の縦横の各サイズである。上記の「断面方向を規定するベクトル」とは、例えば、スライスの面に対する法線方向を示す装置座標系でのベクトルである。これら撮像領域を規定する情報の内、スライス厚以外の情報により、歪補正データが計算される。
【００２６】
直方体状のスラブとして撮像する場合（３次元的なボリュームデータが得られるように撮像する場合）、撮像領域は、例えば以下の情報により規定される。具体的には、（１）スラブの厚さ方向、即ち、断面方向を示す装置座標系でのベクトルと、（２）磁場中心からスラブの中心点までの距離と、（３）撮像視野と、（４）スラブの厚さ、である。これら４つの情報が確定すれば、前述した歪補正データを計算できる。ここでは説明の簡単化のための一例として、上記の磁場中心は、装置座標系の原点に設定されるものとする。
【００２７】
なお、上記の撮像領域の規定方法は、一例に過ぎない。長方形状のスライスとして撮像する場合、撮像領域は、例えば、スライスの４角の装置座標系での座標位置で規定してもよい。同様に、直方体状のスラブとして撮像する場合、撮像領域は、例えば、スラブの８角の装置座標系での座標位置で規定してもよい。また、撮像領域は、長方形状のスライスや直方体状のスラブに限定されるものではなく、例えば円形のスライスや球状のスラブであってもよい。
【００２８】
図１に戻って、シムコイル２４は、シムコイル電源４２に接続され、シムコイル電源４２から供給される電流により、この静磁場を均一化する。
【００２９】
傾斜磁場コイル２６は、Ｘ軸傾斜磁場コイル２６ｘと、Ｙ軸傾斜磁場コイル２６ｙと、Ｚ軸傾斜磁場コイル２６ｚとを有し、静磁場磁石２２の内側で筒状に形成されている。Ｘ軸傾斜磁場コイル２６ｘ、Ｙ軸傾斜磁場コイル２６ｙ、Ｚ軸傾斜磁場コイル２６ｚはそれぞれ、Ｘ軸傾斜磁場電源４４ｘ、Ｙ軸傾斜磁場電源４４ｙ、Ｚ軸傾斜磁場電源４４ｚに接続される。
【００３０】
Ｘ軸傾斜磁場電源４４ｘ、Ｙ軸傾斜磁場電源４４ｙ、Ｚ軸傾斜磁場電源４４ｚからＸ軸傾斜磁場コイル２６ｘ、Ｙ軸傾斜磁場コイル２６ｙ、Ｚ軸傾斜磁場コイル２６ｚにそれぞれ供給される電流により、Ｘ軸方向の傾斜磁場Ｇｘ、Ｙ軸方向の傾斜磁場Ｇｙ、Ｚ軸方向の傾斜磁場Ｇｚが撮像領域にそれぞれ形成される。
【００３１】
即ち、装置座標系の３軸方向の傾斜磁場Ｇｘ、Ｇｙ、Ｇｚを合成し、論理軸としてのスライス選択方向傾斜磁場Ｇｓｓ、位相エンコード方向傾斜磁場Ｇｐｅ、及び、読み出し方向（周波数エンコード方向）傾斜磁場Ｇｒｏの各方向を任意に設定できる。スライス選択方向、位相エンコード方向、及び、読み出し方向の各傾斜磁場は、静磁場に重畳される。
【００３２】
ＲＦ送信器４６は、シーケンスコントローラ５６から入力される制御情報に基づいて、核磁気共鳴を起こすためのラーモア周波数のＲＦパルス（ＲＦ電流パルス）を生成し、これを送信用のＲＦコイル２８に送信する。ＲＦコイル２８には、ガントリに内蔵されたＲＦパルスの送受信用の全身用コイルＷＢや、寝台３２又は被検体Ｐの近傍に設けられるＲＦパルスの受信用の局所コイルなどがある。
【００３３】
送信用のＲＦコイル２８は、ＲＦ送信器４６からＲＦパルスを受けて被検体Ｐに送信する。受信用のＲＦコイル２８は、被検体Ｐの内部の原子核スピンがＲＦパルスによって励起されることで発生したＭＲ信号を受信し、このＭＲ信号は、ＲＦ受信器４８により検出される。
【００３４】
ＲＦ受信器４８は、検出したＭＲ信号に前置増幅、中間周波変換、位相検波、低周波増幅、フィルタリングなどの所定の信号処理を施した後、Ａ／Ｄ(analog to digital)変換を施すことで、デジタル化された複素データである生データ(raw data)を生成する。ＲＦ受信器４８は、生成したＭＲ信号の生データをシーケンスコントローラ５６に入力する。
【００３５】
演算装置６０は、ＭＲＩ装置２０全体のシステム制御を行うものであり、これについては後述の図２を用いて説明する。
【００３６】
シーケンスコントローラ５６は、演算装置６０の指令に従って、傾斜磁場電源４４、ＲＦ送信器４６及びＲＦ受信器４８の駆動に必要な制御情報を記憶する。ここでの制御情報とは、例えば、傾斜磁場電源４４に印加すべきパルス電流の強度や印加時間、印加タイミング等の動作制御情報を記述したシーケンス情報である。
【００３７】
シーケンスコントローラ５６は、記憶した所定のシーケンスに従って傾斜磁場電源４４、ＲＦ送信器４６及びＲＦ受信器４８を駆動させることで、Ｘ軸傾斜磁場Ｇｘ、Ｙ軸傾斜磁場Ｇｙ、Ｚ軸傾斜磁場Ｇｚ及びＲＦパルスを発生させる。また、シーケンスコントローラ５６は、ＲＦ受信器４８から入力されるＭＲ信号の生データを、演算装置６０に入力する。
【００３８】
ＥＣＧユニット３６は、拍動を心拍情報として表すＥＣＧ信号(electrocardiogram signal）を被検体Ｐから検出して、これをシーケンスコントローラ５６経由で演算装置６０に入力する。なお、ＥＣＧ信号の代わりに、拍動を脈波情報として表す脈波同期(PPG: peripheral pulse gating)信号を取得してもよい。
【００３９】
図２は、図１に示すコンピュータ５８の機能ブロック図である。図２に示すように、コンピュータ５８の演算装置６０は、ＭＰＵ(Micro Processor Unit)８６と、システムバス８８と、画像再構成部９０と、表示制御部９８とを備える。
【００４０】
ＭＰＵ８６は、本スキャンの撮像シーケンスの条件の設定、撮像動作及び撮像後の画像表示において、システムバス８８等の配線を介してＭＲＩ装置２０全体のシステム制御を行う。
上記撮像シーケンスの条件とは、例えば、どの種類のパルスシーケンスにより、どのような条件でＲＦパルス等を送信して、どのような条件で被検体からＭＲ信号を収集するか、の意味である。撮像シーケンスの条件の例としては、撮像領域、傾斜磁場の印加方法、スライス数、撮像部位、パラレルイメージングなどのパルスシーケンスの種類、などが挙げられる。上記撮像部位とは、例えば、頭部、胸部、腹部などの被検体Ｐのどの部分を撮像領域として画像化するか、の意味である。
【００４１】
上記「本スキャン」は、Ｔ１強調画像などの、目的とする診断画像の撮像のためのスキャンであって、位置決め画像用のＭＲ信号収集のスキャンや、較正スキャンを含まないものとする。スキャンとは、ＭＲ信号の収集動作を指し、画像再構成を含まないものとする。
【００４２】
較正スキャンとは例えば、本スキャンの撮像シーケンスの条件の内の未確定のものや、本スキャン後の画像再構成時に用いる条件やデータなどを決定するために、本スキャンとは別に行われるスキャンを指す。ここでは一例として、較正スキャンの内、本スキャン前に行われるものをプレスキャンと称する。
【００４３】
較正スキャンとしては、例えば以下のシーケンスが挙げられる。第１に、本スキャンでのＲＦパルスの中心周波数を計算するシーケンスであり、これは本スキャン前に行われる。第２に、ＲＦコイル装置内の各要素コイルの感度分布マップを生成するシーケンスであり、これは、本スキャン前に行っても、本スキャン後に行ってもよい。
【００４４】
また、ＭＰＵ８６は、プレスキャンの実行結果や、入力装置６２からの指示情報に基づいて撮像シーケンスの条件を設定し、設定した撮像シーケンスの条件をシーケンスコントローラ５６に入力する。そのために、ＭＰＵ８６は、表示制御部９８を制御して、撮像シーケンスの条件の設定画面情報を表示装置６４に表示させる。
入力装置６２は、撮像シーケンスの条件などを設定する機能をユーザに提供する。
【００４５】
画像再構成部９０は、フーリエ変換部１００と、画像データベース１０２と、歪補正データ計算部１０４と、歪補正データ保存部１０６と、歪補正部１０８とを有する。
【００４６】
フーリエ変換部１００は、内部にｋ空間データベース１１０を有する。フーリエ変換部１００は、ｋ空間データベース１１０に形成されたｋ空間（周波数空間又はフーリエ空間とも言う）において、シーケンスコントローラ５６から入力されるＭＲ信号の生データをｋ空間データ（周波数空間データ）として配置する。
【００４７】
フーリエ変換部１００は、ｋ空間データに変換処理（例えば２次元フーリエ変換）を施すことで、被検体Ｐの各スライス（又はスラブ）のｋ空間データを実空間データに変換する。ここでの実空間データは、歪補正が施される前のものであり、例えば、装置座標系のＸ−Ｙ−Ｚ座標系で規定されるデータである。フーリエ変換部１００は、実空間データを画像データベース１０２に保存する。
【００４８】
歪補正データ保存部１０６には、傾斜磁場の非線形性に因る画像歪の補正方法を規定するための歪補正テーブルが（例えばＭＲＩ装置２０の出荷時から）予め保存されている。ここでの歪補正テーブルは、位置ずれを示す３次元変位ベクトル（又は、元の座標と変位ベクトルとの和）のデータを多数の代表点毎に有するものである。上記「複数の代表点」とは、例えば、所定の等間隔で撮像空間の全領域を網羅したものである。即ち、歪補正テーブルは、離散的なデータである。
【００４９】
歪補正データ計算部１０４は、傾斜磁場の非線形性に因る画像歪の補正方法を規定する歪補正データを計算し、歪補正データを歪補正データ保存部１０６に保存する。歪補正データの計算は、撮像領域（正確には、撮像領域を規定する情報の内、スライス厚以外の情報。以下、同様）に基づいて、歪補正テーブルを補間することで行われる。歪補正データの計算（歪補正テーブルの補間処理）には時間を要するため、各実施形態では、この補間処理に要する時間の実質的な短縮を図る。
【００５０】
撮像領域が確定すれば、後に生成される各画像の撮像領域に対して傾斜磁場が本スキャンでどのように印加されるかがある程度定まるので、歪補正データを計算して確定することができる。即ち、本スキャンの実行前であっても、撮像領域が確定した時点で、歪補正データ計算部１０４は、各画像に対する歪補正データの計算を開始できる。
【００５１】
歪補正部１０８は、フーリエ変換部１００で生成された実空間データに対し、歪補正データに基づく補正処理を施すことで、傾斜磁場の非線形性に因る画像歪を補正し、補正処理後の画像データを記憶装置６６に保存する。傾斜磁場の非線形性に因る画像歪に対する補正処理について、図３及び図４を用いて具体的に説明する。
【００５２】
図３は、傾斜磁場の非線形性の一例を示す模式図である。縦軸はＸ軸傾斜磁場Ｇｘの強度を示し、横軸は装置座標系のＸ軸座標位置を示す。磁場中心は、前述のように例えば装置座標系の原点に設定される。理想的な傾斜磁場の強度分布は、図３の太線で示すように、線形になる。しかし、実際には、図３の点線で示すように、磁場中心から離れると、理想的な傾斜磁場の強度分布とは異なるものとなる。
【００５３】
図４は、非線形な傾斜磁場の下で収集されたｋ空間データからフーリエ変換された実空間の画像データの各画素が、実際の撮像空間のどの位置からのＭＲ信号を反映したものかの一例を示す模式図である。なお、図３に示す傾斜磁場の強度分布や、図４に示す画像歪は、説明の便宜上の模式的なものに過ぎない。
【００５４】
仮に、線形な傾斜磁場の下でＭＲ信号がｋ空間データとして収集されれば、装置座標系での実際の各画素の位置は、図４の格子状の点線枠の中央に配置される。しかし、実際には傾斜磁場が非線形であるため、フーリエ変換された実空間の画像データの各画素が示す実際の各位置は、理想的な格子状の配置よりも歪む。
【００５５】
そこで、３次元歪補正では、歪補正部１０８は、以下の点を歪補正データに基づいて計算する。即ち、補正処理後の画像データの着目画素の位置が、歪を含む（補正処理前の）画像データにおいて、どの位置に相当するかが計算される。歪補正部１０８は、計算した位置の画素値を着目画素の画素値とすることで、補正処理後の画像データを生成する。
【００５６】
なお、ＭＲＩの画像データは、例えば各画素が画素値を有することで構成され、上記の画素値とは、例えば、その画素が表示される際の輝度レベル（その画素に対応する被検体領域から検出されたＭＲ信号の強度）を示す。スライスの場合、ＭＲＩの画像データは、縦横の画素数が例えば位相エンコードステップ数×周波数エンコードステップ数となる。
【００５７】
２次元歪補正では、歪補正部１０８は例えば、補正処理前の画像データの各画素の実際の３次元座標（実際には、撮像空間のどの座標位置からのＭＲ信号を反映した画素であるか）を歪補正データに基づいて計算する。歪補正部１０８は、各画素の実際の３次元座標を対象スライス画像の上に投影し、補正処理後の画像データにおける各画素の画素値を補間により計算する。
【００５８】
即ち、２次元歪補正は、そのスライスの画像を２次元的にゆがめ戻すことで行われる。一方、３次元歪補正は、スライス面内の歪の他にスライスの厚さ方向の歪も考慮し、３次元的に画像をゆがめ戻すことで行われる。歪補正テーブルの補間による歪補正データの計算方法、及び、２次元歪補正や３次元歪補正の方法については特許文献１等に記載されているので、ここでは詳細な説明を省略する。
【００５９】
なお、本実施形態では一例として、画像再構成処理は、以下の２処理を含めた画像データの生成処理を指すものとする。第１に、ｋ空間データにフーリエ変換を施すことで周波数空間データから実空間の画像データに変換する処理である。第２に、傾斜磁場の非線形性に因る画像歪を補正する補正処理を当該実空間の画像データに対して施す処理である。
【００６０】
記憶装置６６は、補正処理後の画像データに対し、撮像シーケンスの条件や被検体Ｐの情報（患者情報）等の情報を付帯情報として付属させ、補正処理後の画像データを保存する。なお、第２及び第３の実施形態では、記憶装置６６は、上記付帯情報として、その画像データの補正処理に用いられた歪補正データも含める。
【００６１】
表示制御部９８は、ＭＰＵ８６の制御に従って、撮像シーケンスの条件の設定用画面や、撮像により生成された画像データが示す画像を表示装置６４に表示させる。
【００６２】
図５は、ＭＲ信号を受信する装着型のＲＦコイル装置の一例として、上半身用ＲＦコイル装置１４０の構成の一例を示す平面模式図である。図５に示すように、上半身用ＲＦコイル装置１４０は、ケーブル１２４と、コネクタ１２６と、カバー部材１４２とを有する。
【００６３】
カバー部材１４２は、可撓性を有する材料によって折り曲げ等の変形が可能に形成されている。このように変形可能な材料としては、例えば特開２００７−２２９００４号公報に記載の可撓性を有する回路基板（Flexible Printed Circuit：ＦＰＣ）などを用いることができる。
【００６４】
カバー部材１４２における、図５内の横方向の破線で２等分した上側半分の内部には、被検体Ｐの背面側に対応した例えば２０個の要素コイル（表面コイル）１４４が配置されている。ここでは一例として、背面側では、被検体Ｐの背骨を考慮した感度向上の観点から、体軸付近に他の要素コイル１４４よりも小さい要素コイル１４４が配置される。
【００６５】
カバー部材１４２を２等分した下側半分は、被検体Ｐの頭部、胸部及び腹部上に被さるように構成され、その内部には、被検体Ｐの前面側に対応した例えば２０個の要素コイル（表面コイル）１４６が配置されている。なお、図５において、要素コイル１４４は太線で示し、要素コイル１４６は破線で示す。
【００６６】
また、上半身用ＲＦコイル装置１４０は、制御回路（図示せず）と、上半身用ＲＦコイル装置１４０の識別情報を記憶した記憶素子（図示せず）とをカバー部材１４２内に有する。コネクタ１２６がＭＲＩ装置２０の接続ポートに接続された場合、上半身用ＲＦコイル装置１４０の識別情報は、この制御回路からＭＲＩ装置２０内の配線を介してＭＰＵ８６に入力される。
【００６７】
図６は、図１のＲＦ受信器４８の詳細構成の一例を示すブロック図である。ここでは一例として、上半身用ＲＦコイル装置１４０と、ＭＲ信号を受信する装着型の下半身用ＲＦコイル装置１６０とが被検体Ｐに装着される場合の図を示す。下半身用ＲＦコイル装置１６０は、ＭＲ信号を受信する多数の要素コイル１６４（図では煩雑となるので６つのみ示す）を有する。
【００６８】
この場合、ＲＦコイル２８は、太線の四角枠で示す筒状の全身用コイルＷＢと、上半身用ＲＦコイル装置１４０の要素コイル１４４、１４６と、下半身用ＲＦコイル装置１６０の要素１６４とを含む。要素コイル１４４、１４６、１６４は、ＭＲ信号を受信するフェーズドアレイコイルとして機能する。全身用コイルＷＢは、ガントリ内に配置され、ＲＦパルスの送信用及びＭＲ信号の受信が可能な送受信兼用コイルである。
【００６９】
ＲＦ受信器４８は、デュプレクサ（送受信切替器）１７４と、複数のアンプ１７６と、切替合成器１７８と、複数の受信系回路１８０とを備える。切替合成器１７８の入力側は、アンプ１７６を介して各要素コイル１４４、１４６、１６４に個別に接続されると共に、デュプレクサ１７４及びアンプ１７６を介して全身用コイルＷＢに個別に接続されている。また、各受信系回路１８０は、切替合成器１７８の出力側に個別に接続されている。
【００７０】
デュプレクサ１７４は、ＲＦ送信器４６から送信されるＲＦパルスを全身用コイルＷＢに与える。また、デュプレクサ１７４は、全身用コイルＷＢで受信されたＭＲ信号をアンプ１７６に入力し、このＭＲ信号は、アンプ１７６により増幅されて切替合成器１７８の入力側に与えられる。また、各要素コイル１４４、１４６、１６４で受信されたＭＲ信号は、それぞれ対応するアンプ１７６で増幅されて切替合成器１７８の入力側に与えられる。
【００７１】
切替合成器１７８は、受信系回路１８０の数に応じて、各要素コイル１４４、１４６、１６４及び全身用コイルＷＢから検出されるＭＲ信号の合成処理及び切換を行い、対応する受信系回路１８０に出力する。このようにしてＭＲＩ装置２０は、全身用コイルＷＢ及び所望の数の要素コイル１４４、１４６、１６４を用いて撮像領域に応じた感度分布を形成し、様々に設定される撮像領域からのＭＲ信号を受信する。
【００７２】
但し、要素コイル１４４、１４６、１６４を設けずに、全身用コイルＷＢのみでＭＲ信号を受信する構成も可能である。また、切替合成器１７８を設けずに、要素コイル１４４、１４６、１６４や全身用コイルＷＢで受信されたＭＲ信号を受信系回路１８０に直接出力する構成としてもよい。さらに、より多くの要素コイルを広範囲に亘って配置してもよい。
【００７３】
（第１の実施形態の動作説明）
図７は、第１の実施形態におけるＭＲＩ装置２０の動作の流れの一例を示すフローチャートである。以下、前述の各図を参照しながら、図７に示すステップ番号に従って、ＭＲＩ装置２０の動作を説明する。
【００７４】
［ステップＳ１］入力装置６２に対して、本スキャンの撮像シーケンスの条件の内の主要な条件（パルスシーケンスの種類など）が入力される。ＭＰＵ８６は、入力された条件に基づいて、撮像シーケンスの条件の一部を設定する。
【００７５】
また、被検体Ｐが天板３４（図１参照）上に載置され、ＲＦコイル装置１４０（図５参照）などのＲＦコイル装置が被検体Ｐに装着される。その後、コイル位置測定シーケンスが実行される（例えば特開２０１０−２５９７７７号公報参照）。
【００７６】
具体的には例えば、全身用コイルＷＢからＲＦパルスを送信後、被検体Ｐに装着されたＲＦコイル装置内の各要素コイルからＭＲ信号を収集し、収集されたＭＲ信号に基づいてコイル位置決め用のプロファイルデータを生成する。次に、プロファイルデータに基づいてＲＦコイル装置内の要素コイル毎の位置を計算する。この後、各要素コイルの位置に基づいて、ＭＲ信号の受信に用いる要素コイルをＭＰＵ８６が自動選択するか、又は、各要素コイルの位置を表示装置６４上に表示後に、ＭＲ信号の受信に用いる要素コイルをユーザが選択する。なお、被検体にＲＦコイル装置が装着されず、例えば全身用コイルＷＢのみで撮像される場合には、上記コイル位置測定シーケンスを省略する。
【００７７】
また、プレスキャンとして、装着型のＲＦコイル装置の感度分布マップ生成のシーケンスが実行される（例えば特開２００５−２３７７０３号公報参照）。具体的には例えば、被検体Ｐに装着されたＲＦコイル装置、及び、全身用コイルＷＢを受信コイルとして、ＭＲ信号が収集される。
全身用コイルＷＢから得られた画像データ（以下、ＷＢ画像データという）、及び、ＲＦコイル装置から得られた画像データ（以下、主コイル画像データという）が、ＲＦコイル装置内の全要素コイルの感度分布推定用の画像データとして取得され、画像データベース１０２に保存される。同様な画像データの取得が３次元領域全体の各断面に亘って実施され、ボリュームデータとして画像データベース１０２に保存される。
【００７８】
ＭＰＵ８６は、上記ボリュームデータに基づいて、ＲＦコイル装置内に含まれる全要素コイルの感度分布を３次元感度分布マップデータとして生成し、記憶装置６６に保存する。例えば、主コイル画像データの信号強度分布をＷＢ画像データの信号強度分布で除算し、両者の信号強度比をＲＦコイル装置内の全要素コイルの感度分布の推定値とする。同様の処理を３次元領域全体の各断面の画像データに対して実行すれば、各要素コイルの（３次元）感度分布マップデータを生成できる。この感度分布マップデータは例えば、画像再構成部９０による画像再構成時に、輝度補正処理に用いられる。
【００７９】
なお、全身用コイルから得られたＷＢ画像データは、基準として用いるものであるため、全身用コイルＷＢを受信用コイルとせずに、被検体Ｐに装着されたＲＦコイル装置のみを受信用コイルとしても感度分布マップを生成可能である。
【００８０】
［ステップＳ２］ステップＳ１で選択された要素コイルでＭＲ信号を検出することで、公知の手法により位置決め画像が撮像される。表示制御部９８は、ＭＰＵ８６の指令に従って、位置決め画像を表示装置６４に表示させる。
【００８１】
［ステップＳ３］位置決め画像に基づいて、撮像視野や、スライス位置などの撮像領域を設定する情報が入力装置６２に対して入力され、ＭＰＵ８６は、この入力内容を本スキャンの撮像シーケンスの条件として設定する。これにより、本スキャンでの撮像領域が確定する。歪補正データ計算部１０４は、本スキャンでの撮像領域の確定をトリガにして、歪補正データの計算を開始する。即ち、歪補正データ計算部１０４は、本スキャンでの撮像領域が確定したタイミングに同期して、歪補正データの計算を開始する。
【００８２】
［ステップＳ４］ＭＲＩ装置２０は、プレスキャンと、歪補正データ計算部１０４による歪補正データの計算とを並行して実行する。ここでのプレスキャンは、例えば、ＲＦパルスの中心周波数の補正値を計算するシーケンスが挙げられる（例えば特開２００９−３４１５２号公報参照）。
【００８３】
具体的には、ＭＰＵ８６は、ＭＲＩ装置２０の各部を制御して、例えば撮像領域の代表のスライスに磁気共鳴スペクトロスコピーを施すことで周波数スペクトラムデータを収集及び解析し、ピーク周波数等に基づいて水素原子核スピンの磁気共鳴周波数を検出する。
【００８４】
［ステップＳ５］ＭＰＵ８６は、ステップＳ４でのプレスキャンの検出結果に基づいて、本スキャンで用いるＲＦパルスの中心周波数を計算及び再設定（補正）する。具体的な一例としては、検出した水素原子核スピンの磁気共鳴周波数を、ＲＦパルスの中心周波数とすればよい。
このようにしてＭＰＵ８６は、プレスキャンの実行結果などに基づいて、本スキャンの撮像シーケンスの条件で未確定のものを全て確定する。このとき、歪補正データ計算部１０４による歪補正データの計算も並行して実行される。
【００８５】
［ステップＳ６］設定された撮像シーケンスの条件に従って本スキャンが以下のように実行されると共に、歪補正データ計算部１０４による歪補正データの計算が並行して実行される。具体的には、撮像空間では、静磁場電源４０により励磁された静磁場磁石２２によって静磁場が形成されており、この静磁場はシムコイル２４により均一化されている。
【００８６】
そして、入力装置６２からＭＰＵ８６に本スキャン開始指令が入力されると、ＭＰＵ８６は、撮像シーケンスの条件をシーケンスコントローラ５６に入力する。シーケンスコントローラ５６は、入力された撮像シーケンスに従って傾斜磁場電源４４、ＲＦ送信器４６及びＲＦ受信器４８を駆動させることで、被検体Ｐの撮像部位が含まれる撮像領域に傾斜磁場を形成させると共に、ＲＦコイル２８からＲＦパルスを発生させる。
【００８７】
このため、被検体Ｐの内部の核磁気共鳴により生じたＭＲ信号がＲＦコイル２８（ステップＳ１で選択された要素コイルを含む）により受信されて、ＲＦ受信器４８により検出される。ＲＦ受信器４８は、検出したＭＲ信号に所定の信号処理を施した後、これをＡ／Ｄ変換することで、デジタル化したＭＲ信号である生データを生成する。
【００８８】
ＲＦ受信器４８は、生成した生データをシーケンスコントローラ５６に入力する。シーケンスコントローラ５６は、生データをフーリエ変換部１００に入力し、フーリエ変換部１００は、ｋ空間データベース１１０に形成されたｋ空間において、生データをｋ空間データとして配置及び保存する。
【００８９】
なお、ここでは一例として、ステップＳ５での本スキャンの全条件の確定後、ステップＳ６での本スキャン開始指令を待機中の期間も、歪補正データ計算部１０４が歪補正データを計算する。
【００９０】
［ステップＳ７］画像再構成処理が実行される。具体的には、フーリエ変換部１００は、被検体Ｐの各スライス又はスラブのｋ空間データに変換処理（例えば２次元フーリエ変換）を施すことで、実空間データに変換する。フーリエ変換部１００は、実空間データを画像データベース１０２に保存する。
【００９１】
ここで、ステップＳ６までにおいて歪補正データの一部を計算できていなければ、歪補正部１０８は、このステップＳ７において補正処理の前に、歪補正データの未算出部分の計算を行い、計算された全ての歪補正データを歪補正データ保存部１０６に保存する。そして、歪補正部１０８は、フーリエ変換部１００で生成された実空間データに対し、歪補正データに基づく補正処理を施すことで、傾斜磁場の非線形性に因る画像歪を補正する。
【００９２】
なお、プレスキャンとしてＲＦコイル装置内の各要素コイルの感度分布マップ生成のシーケンスが実行された場合、歪補正部１０８は、上記補正処理の一環として、３次元感度分布マップデータに基づいて画像データの輝度補正も実行する。歪補正部１０８は、補正処理後の画像データ（スラブの場合はボリュームデータ）を記憶装置６６に保存する。
【００９３】
［ステップＳ８］表示制御部９８は、ＭＰＵ８６の指令に従って、補正処理後の画像データを記憶装置６６から表示装置６４に転送させ、画像データ（スラブの場合はボリュームデータ）が示す画像を表示装置６４に表示させる。
【００９４】
なお、上記説明では、本スキャンの撮像領域の確定後から、本スキャンの実行期間中まで継続的に歪補正データを計算しているが、これは一例に過ぎない。例えば、プレスキャンの実行中などの途中のタイミングで歪補正データの計算が終了した場合、以降は、歪補正データ計算部１０４が他の処理と並行して歪補正データを計算することはない。以上が第１の実施形態の動作説明である。
【００９５】
従来技術では、本スキャンが終了し、画像再構成の開始タイミングの後に、歪補正データの計算が開始される。これに対し第１の実施形態では、本スキャンでの撮像領域の確定後、プレスキャンや本スキャンなどの他の処理と並行して、歪補正データ計算部１０４が歪補正データを計算する。このため、本スキャンが終了したタイミング（フーリエ変換を含む画像再構成の開始タイミング）では、歪補正データの全て又は一部が計算済である。この結果、従来技術よりも、本スキャン後の画像歪の補正に要する時間を短縮できる。
【００９６】
また、演算装置６０の空きメモリを用いて、歪補正データ計算部１０４による歪補正データの計算と、プレスキャンや本スキャンなどの他の処理とをＭＲＩ装置２０が並行して実行する。従って、ＭＲＩ装置２０の各部の動作時間として、条件設定の時間や撮像時間を有効に割り当てることができる。
【００９７】
また、本スキャンでの撮像領域の確定をトリガにするので、歪補正データを確定しうる最も早いタイミングから、歪補正データの計算が開始される。このため、本スキャンの終了のタイミングにおいて、歪補正データが全て計算済である可能性を高くすることができる。この結果、本スキャン終了後の画像再構成処理では、歪補正データを計算する必要がなくなる場合もあり、画像歪の補正に要する時間を大いに短縮しうる。
【００９８】
（第１の実施形態の変形例）
図８は、第１の実施形態の変形例に係るＭＲＩ装置２０の動作の流れの一例を示すフローチャートである。較正スキャンが本スキャンの後に実行され、且つ、本スキャン終了時に歪補正データの計算が終了していない場合、ＭＲＩ装置２０は、本スキャン後の較正スキャンと並行して、歪補正データの計算を実行してもよい。図８は、その場合のＭＲＩ装置２０の動作の一例を示す。
【００９９】
図８のステップＳ１１〜Ｓ１６、Ｓ１８、Ｓ１９の処理は、ステップＳ１１においてＲＦコイル装置内の各要素コイルの感度分布マップの生成シーケンスが実行されない点を除き、上記ステップＳ１〜Ｓ８の処理とそれぞれ同様である。
【０１００】
ステップＳ１７では、較正スキャンと並行して、歪補正データ計算部１０４は歪補正データを計算する。本スキャンの後（ステップＳ１７）において実行してもよい較正スキャンは、本スキャンの条件に関わらないが、本スキャン後の画像再構成の条件を決めるためのデータ収集である。かかる較正スキャンとしては、例えば、図７のステップＳ１で実行したＲＦコイル装置内の各要素コイルの感度分布マップの生成シーケンス等が挙げられる。
【０１０１】
このように、図８の変形例の場合も、図７で説明した第１の実施形態と同様の効果が得られる。
なお、第１の実施形態及びその変形例では、本スキャンにおける撮像領域の確定に同期して歪補正データの計算を開始する例を述べたが、これは一例にすぎない。本スキャンの条件の内、撮像領域の決定後に確定する条件の確定をトリガとしてもよい。例えば、本スキャンでの傾斜磁場の印加条件の確定に同期して、歪補正データの計算を開始してもよい。
【０１０２】
（第２の実施形態の動作説明）
第１の実施形態では複数の処理を並行して実行するが、第２及び第３の実施形態では各処理がシリアルに実行される。第２の実施形態では、一のシーケンスの中で、同じ位置、同じ撮像視野の画像が繰り返し撮像される場合に、歪補正データを再利用する。
【０１０３】
図９は、第２の実施形態におけるＭＲＩ装置２０の動作の流れの一例を示すフローチャートである。以下、図９に示すステップ番号に従って、ＭＲＩ装置２０の動作を説明する。
【０１０４】
［ステップＳ２１］ＭＰＵ８６（図２参照）は、入力装置６２を介してＭＲＩ装置２０に対して入力された一部の撮像シーケンスの条件や、プレスキャンの実行結果に基づいて、本スキャンの撮像シーケンスの全条件を設定する。ここでは一例として、同じ位置を繰り返し撮像する本スキャンのパルスシーケンスが設定されるものとする。そのようなパルスシーケンスとしては、例えば同期撮像が挙げられる。
【０１０５】
同期撮像としては、例えば心電同期の撮像が挙げられる。この場合、例えばｔ−ＳＬＩＰ法(Time Spatial Labeling Inversion Pulse Method:特開２０１１−８３５９２号公報等を参照)により、撮像断面に流入する血液をラベリングする。ｔ−ＳＬＩＰ法のパルスシーケンスにより、反転時間(inversion time)後に撮像断面に到達した血液のみの信号強度を選択的に強調又は抑制できる。なお、ｔ−ＳＬＩＰ法におけるパルスは、必要に応じて、ＥＣＧユニット３６（図１参照）により被検体Ｐから検出されるＥＣＧ信号のＲ波から一定の遅延時間が経過後に印加され、心電同期の下で撮像が行われる。
【０１０６】
同期撮像の別の例としては、ＥＣＧユニット３６の代わりに、呼吸同期ユニットを設け、呼吸同期撮像を行う場合が挙げられる。呼吸同期ユニットは、被検体Ｐの胸部に当接されて胸郭運動に比例する信号を検知する不図示の呼吸センサ（電極）を有する。呼吸同期ユニットは、この呼吸センサの検知信号から呼吸曲線データを演算することで、被検体Ｐの呼吸周期の所望期間（例えば呼気期間）に同期させた呼吸同期信号を生成し、この呼吸同期信号をシーケンスコントローラ５６に入力する。これにより、例えば吸気時相又は吐気時相の撮像を繰り返すことができる。
【０１０７】
同じ位置を繰り返し撮像するパルスシーケンスの別の例としては、拡散強調イメージングが挙げられる。拡散強調イメージングでは、例えばＭＰＧパルス(Motion Probing Gradient Pulse:拡散傾斜磁場パルス)を印加しないで、ｂ値をゼロとして基準の１セットのスライス群を撮像する。
次に、ｂ値を第１の値にすると共にセット毎に方向性が異なるＭＰＧパルスを印加しつつ、複数セットのスライス群の撮像を行う。次に、ｂ値を第２の値にして、セット毎に方向性が異なるＭＰＧパルスを印加しつつ、複数セットのスライス群の撮像を行う。
このような撮像を繰り返し、ｂ値がゼロの基準の１セットのスライス群と、ｂ値が第１の値の各セットのスライス群とで差分をとる。ｂ値が第２の値、ｂ値が第３の値の場合も同様に差分をとることで、撮像対象の拡散を描出する。
【０１０８】
同じ位置を繰り返し撮像するパルスシーケンスの別の例としては、ダイナミック撮像が挙げられる。ダイナミック撮像は、同じ断面に対し、呼吸位相や心時相などの時相を変えて、複数の撮像を行う手法である。
【０１０９】
［ステップＳ２２］設定された撮像シーケンスの条件に従って、第１の実施形態のステップＳ６と同様にして本スキャンが実行される。なお、ここでは一例として、歪補正データの計算を並行して実行することはない。
【０１１０】
［ステップＳ２３］フーリエ変換部１００は、ｋ空間データベース１１０からｋ空間データを取り込み、これにフーリエ変換を施すことで実空間データに変換する。
【０１１１】
［ステップＳ２４］歪補正データ計算部１０４は、本スキャンでＭＲ信号が収集された各スライス又はスラブについて歪補正データを計算又は取得する。さらに、歪補正データ計算部１０４は、どのスライス又はスラブに対する歪補正データかの付帯情報を加えて、歪補正データを歪補正データ保存部１０６に保存する。上記付帯情報は、例えば、撮像視野、スライス厚、断面方向などの、当該スライス又はスラブの撮像領域を装置座標系で規定する情報である。
【０１１２】
また、ここでは同じ位置を繰り返し撮像する本スキャンが実行されているので、歪補正データ計算部１０４は、歪補正データの計算に際して、重複実行を避ける。
【０１１３】
具体的には、「現在歪補正データの計算対象となっているスライス又はスラブ」と、装置座標系で規定される撮像領域が同一のスライス又はスラブに対して歪補正データを計算済の場合、歪補正データ計算部１０４は、当該計算済の歪補正データを取得する。
歪補正データ計算部１０４は、当該計算済の歪補正データの付帯情報として、上記の「現在歪補正データの計算対象となっているスライス又はスラブ」を追加する。
これにより、歪補正データ計算部１０４は、歪補正データ保存部１０６に保存されている歪補正データの付帯情報を更新する。
【０１１４】
このようにして、歪補正データ計算部１０４は、歪補正データの重複した計算を避ける。なお、歪補正データ自体を歪補正データ保存部１０６の記憶領域に重複して保存することはしない。
【０１１５】
ここで、上記のように重複した計算を避ける条件、即ち、歪補正データを再利用する条件として、被検体の同一性は不要である（後述の第３の実施形態についても同様）。静磁場の均一性の乱れ方は被検体により異なるが、撮像領域が同じであれば、発生する傾斜磁場（の非線形性）は被検体に拘らずほぼ同じになるからである。従って、仮に、ステップＳ２１の前のシーケンスにおいて、同一又は異なる被検体の撮像として、撮像領域が同一のスライス又はスラブに対して歪補正データを計算済の場合、当該歪補正データを再利用可能である。
【０１１６】
また、上記のように重複した計算を避ける条件として、歪補正データの計算対象のスライスと、歪補正データを計算済のスライスとで、断面方向が同じであることが望ましく、第２の実施形態では一例として、この点を条件とする。断面方向が完全一致すれば、歪補正データをそのまま再利用できるからである。
【０１１７】
ここでは一例として、歪補正データの計算対象のスライス又はスラブと、装置座標系で規定される撮像領域が完全一致するスライス又はスラブに対して歪補正データを計算済ではない場合、歪補正データ計算部１０４は、歪補正データを計算する。但し、歪補正データの計算対象のスライス又はスラブと、撮像領域の重複部分を有するスライス又はスラブに対して歪補正データを計算済である場合、歪補正データ計算部１０４は、当該重複部分の歪補正データを再利用してもよい（この例については、後述する）。
【０１１８】
［ステップＳ２５］歪補正部１０８は、ステップＳ２３で生成された実空間データに対し、ステップＳ２４で計算或いは取得された歪補正データに基づく補正処理を施すことで、傾斜磁場の非線形性に因る画像歪を補正する。歪補正部１０８は、補正処理後の画像データを記憶装置６６に保存する。
【０１１９】
［ステップＳ２６］第１の実施形態のステップＳ８と同様にして補正処理後の撮像画像が表示される。以上が第２の実施形態のＭＲＩ装置２０の動作説明である。
【０１２０】
このように第２の実施形態では、同期撮像、ダイナミック撮像、拡散強調イメージングなどのように一の撮像シーケンスで同一位置を繰り返し撮像する場合に、歪補正データの重複的な計算を避ける。即ち、ある撮像領域のスライス又はスラブに対して一度計算した歪補正データを保存する。これにより、タイミングなどの条件を変えて同一のスライス又はスラブを撮像する場合に歪補正データを再利用するので、従来よりも歪補正データの計算時間を短縮できる。この結果、傾斜磁場の非線形性に因る画像歪の補正を、従来よりも高速化できる。
【０１２１】
また、再利用される歪補正データについては、選択方法が無限に近いスライス又はスラブの各々に対して保存するのではなく、同一位置を繰り返し撮像するシーケンスの特性を利用して最低限の歪補正データが保存される。即ち、ステップＳ２４において、歪補正データを重複保存せずに、その付帯情報として、「当該歪補正データに対応するスライス又はスラブの撮像領域の情報」を追加する。従って、歪補正データの保存に要する記憶領域は、現実的な範囲に収めることができる。
【０１２２】
（第２の実施形態の変形例）
図１０は、第２の実施形態の変形例に係るＭＲＩ装置２０の動作の流れの一例を示すフローチャートである。上記図９のステップＳ２４では、歪補正データを再利用できるか否かの判定処理を行わない例を述べたが、図１０のフローチャートのように、かかる判定処理を入れてもよい。以下、図１０に示すステップ番号に従って、第２の実施形態の変形例におけるＭＲＩ装置２０の動作を説明する。
【０１２３】
［ステップＳ３１〜Ｓ３３］図９のステップＳ２１〜Ｓ２３の処理とそれぞれ同様である。この後、ステップＳ３４に進む。
【０１２４】
［ステップＳ３４］歪補正データ計算部１０４は、「現在歪補正データの計算対象となっているスライス又はスラブ」と、（装置座標系で規定される）撮像領域が同一のスライス又はスラブに対して歪補正データを計算済か否かを判定する。撮像領域が同一のスライス又はスラブに対して歪補正データを計算済の場合、ステップＳ３５に進み、そうではない場合、ステップＳ３６に進む。
【０１２５】
［ステップＳ３５］歪補正データ計算部１０４は、上記ステップＳ２４と同様に、計算済であって、撮像領域が同一のスライス又はスラブの歪補正データの付帯情報として、「現在歪補正データの計算対象となっているスライス又はスラブ」を追加する。この後、ステップＳ３７に進む。
【０１２６】
［ステップＳ３６］歪補正データ計算部１０４は、ステップＳ３４での判定処理の対象のスライス又はスラブに対して歪補正データを計算する。歪補正データ計算部１０４は、どのスライス又はスラブに対する歪補正データかの情報と付帯しつつ、計算した歪補正データを歪補正データ保存部１０６に保存する。この後、ステップＳ３７に進む。
【０１２７】
［ステップＳ３７、Ｓ３８］図９のステップＳ２５、Ｓ２６の処理とそれぞれ同様である。このように、図１０に示す変形例においても、図９の場合と同様の効果が得られる。
【０１２８】
（第３の実施形態の動作説明）
前述のように、歪補正データの計算対象のスライス又はスラブと、撮像領域の重複部分を有するスライス又はスラブに対して歪補正データを計算済である場合、当該重複部分の歪補正データを再利用してもよい。第３の実施形態では、同じ位置を繰り返し撮像する場合などのシーケンス種類に拘らず、重複領域があれば歪補正データを再利用する。
【０１２９】
図１１は、複数の画像間で、重複する撮像領域がある場合の一例を示す平面模式図である。図１１において、スライスＳＬ１と、スライスＳＬ２とで、互いの撮像領域が部分的に重複し、破線で囲われた斜線領域が重複領域２５０である。ここでの「重複」とは、スライスＳＬ１の少なくとも一部の画素と、スライスＳＬ２の少なくとも一部の画素とが、装置座標系において互いに同一位置を示すことである。
例えばスライスＳＬ１について先に歪補正データが生成され、これが歪補正データ保存部１０６に保存されている場合を考える。
【０１３０】
この場合、歪補正データ計算部１０４は、スライスＳＬ２における非重複領域（重複領域２５０以外の撮像領域）について歪補正データを計算し、重複領域２５０の歪補正データを歪補正データ保存部１０６から取得する。歪補正データ計算部１０４は、スライスＳＬ２については、非重複領域の歪補正データと、取得した重複領域２５０の歪補正データとを領域的に合成することで、その歪補正データを生成する。
【０１３１】
特に、撮像領域がスラブである場合（ボリューム撮像の場合）、歪補正データの計算対象のスラブと、歪補正データを計算済のスラブとで、部分的に重複することが多い。その場合、重複領域については、歪補正データを再利用することができる。
【０１３２】
前述のように、重複計算を避ける条件として、歪補正データの計算対象のスライスと、歪補正データを生成済のスライスとで、断面方向が同じであることが望ましいが、これは必須ではない。歪補正データの計算対象のスライスと、歪補正データを生成済のスライスとで断面方向が異なっていても、重複領域があれば、重複領域について歪補正データを再利用してもよい。
【０１３３】
また、第３の実施形態では、種類の異なる複数の撮像シーケンス間の歪補正データや、ＭＲＩ装置２０の電源がオンされる前の歪補正データも再利用可能な構成とする。この再利用の条件として、被検体の同一性は前述の理由で不要である。
即ち、直前の撮像シーケンスで別の被検体について撮像された場合や、電源オン前に別の被検体について撮像された場合でも、重複領域があれば、重複領域について歪補正データを再利用する。
【０１３４】
従って、第３の実施形態では一例として、ＭＲＩ装置２０の電源がオフされても、歪補正データを継続して保存する。これに対し第２の実施形態では、ＭＲＩ装置２０の電源オフ時に、歪補正データ保存部１０６内の歪補正データを消去してもよい。
【０１３５】
図１２は、ＭＲＩ装置２０の外部に歪補正データを保存する場合の一例として、外部のサーバに歪補正データを保存する場合のブロック図である。第３の実施形態では、例えば、図１２に示すように、通信ケーブル３００を介してＭＲＩ装置２０の演算装置６０に接続されたサーバ３０２に全ての歪補正データを保存する。
【０１３６】
即ち、第３の実施形態では、歪補正データ保存部１０６は、ＭＲＩ装置２０の電源がオンされた後に生成された歪補正データのみを保存し、生成された歪補正データをＭＲＩ装置２０の電源オフ前にサーバ３０２に転送する。但し、これは一例に過ぎない。歪補正データ保存部１０６の記憶容量が大きければ、ＭＲＩ装置２０の電源オフに拘らず、歪補正データ保存部１０６が継続的に歪補正データを保存してもよい。
【０１３７】
図１３は、第３の実施形態におけるＭＲＩ装置２０の動作の流れの一例を示すフローチャートである。なお、ここでは一例として、ＭＲＩ装置２０の電源がオンされた後、図１３のステップＳ４２の本スキャンとはパルスシーケンスの種類が異なる別の本スキャンがステップＳ４１の直前に実行済であるものとする。即ち、当該別の本スキャンの各スライス（又はスラブ）に対する補正処理後の画像データが記憶装置６６に保存され、当該別の本スキャンの各スライス（又はスラブ）に対する歪補正データが歪補正データ保存部１０６に保存されているものとする。
【０１３８】
以下、図１３に示すステップ番号に従って、ＭＲＩ装置２０の動作を説明する。
［ステップＳ４１］ＭＰＵ８６（図２参照）は、入力装置６２を介してＭＲＩ装置２０に対して入力された撮像シーケンスの条件の一部や、プレスキャンの実行結果に基づいて、本スキャンの全条件を設定する。ここでの本スキャンは、どの種類のパルスシーケンスであってもよいが、ここでは一例として、直前に実行されたパルスシーケンスとは種類が異なるものとする。
【０１３９】
［ステップＳ４２］ステップＳ４１で設定された撮像シーケンスの条件に従って、前述と同様にして本スキャンが実行される。
【０１４０】
［ステップＳ４３］フーリエ変換部１００は、ｋ空間データベース１１０からｋ空間データを取り込み、これにフーリエ変換を施すことで実空間データに変換する。
【０１４１】
［ステップＳ４４］歪補正データ計算部１０４は、歪補正データ保存部１０６及びサーバ３０２にアクセスし、以下の判定処理を実行する。即ち、歪補正データの計算対象のスライス（スラブ）の撮像領域と、歪補正データを計算済のスライス（スラブ）の撮像領域とで、重複領域があるか否かが判定される（装置座標系で規定された撮像領域同士で、重複の有無を判定する）。
【０１４２】
ここでの計算済の歪補正データは、ステップＳ４１の前の撮像シーケンスで計算され、歪補正データ保存部１０６に保存中のものと、ＭＲＩ装置２０の電源がオンされる前（前回以前のＭＲＩ装置２０の起動時）に計算され、サーバ３０２に保存中のものを含む。
【０１４３】
上記判定処理において、重複領域があると判定された場合、ステップＳ４５に進み、そうではない場合、ステップＳ４６に進む。
【０１４４】
［ステップＳ４５］歪補正データ計算部１０４は、歪補正データの計算対象のスライス（スラブ）について、非重複領域（ステップＳ４４で重複領域と判定された領域を除く領域）の歪補正データを計算し、重複領域の歪補正データを歪補正データ保存部１０６又はサーバ３０２から取得する。歪補正データ計算部１０４は、計算した歪補正データと、取得した歪補正データとを領域的に合わせることで、計算対象のスライス（スラブ）について、その歪補正データを生成する。この後、ステップＳ４７に進む。
【０１４５】
［ステップＳ４６］歪補正データ計算部１０４は、ステップＳ４４での判定処理の対象のスライス（スラブ）に対して歪補正データを計算する。歪補正データ計算部１０４は、付帯情報として、当該スライス又はスラブの装置座標系での撮像領域を規定する情報を加えて、計算した歪補正データを歪補正データ保存部１０６に保存する。なお、ここでは一例として、被検体Ｐの情報も付帯情報に含めるものとする。この後、ステップＳ４７に進む。
【０１４６】
［ステップＳ４７］歪補正部１０８は、ステップＳ４３で生成された実空間データに対し、ステップＳ４５、Ｓ４６で得られた歪補正データに基づく補正処理を施すことで、傾斜磁場の非線形性に因る画像歪を補正する。歪補正部１０８は、補正処理後の画像データを記憶装置６６に保存する。
【０１４７】
また、歪補正データ保存部１０６は、ステップＳ４１〜４６までに計算されて保存した歪補正データをサーバ３０２に転送する。サーバ３０２は、転送された歪補正データ（及びその付帯情報）を保管する。この後、ステップＳ４８に進む。
【０１４８】
［ステップＳ４８］第１の実施形態のステップＳ８と同様にして補正処理後の撮像画像が表示される。以上が第３の実施形態のＭＲＩ装置２０の動作説明である。
【０１４９】
このように第３の実施形態では、以前に計算済の歪補正データと少しでも重複領域がある場合、重複領域については歪補正データを再利用する。
概念的に言えば、「一の画像」の少なくとも一部の画素と、「別の画像」の少なくとも一部の画素とが装置座標系で互いに同一位置を示す場合、画像再構成部９０は、上記「一の画像」を示す画像データの生成時において、上記同一位置を示す画素に対しては上記「別の画像」を示す画像データの生成時に用いられる歪補正データを用いると共に、残りの画素に対しては歪補正データを計算することで、補正処理を実行する。
【０１５０】
即ち、被検体の同一性や本スキャンのパルスシーケンスの種類を問わず、重複領域については歪補正データを再利用するので、歪補正データの計算量を最小限にすることができる。この結果、傾斜磁場の非線形性に因る画像歪の補正に要する時間を従来よりも短縮できる。
例えば、同じ被検体の経過観察の撮像として、当該被検体について以前（１年前や半年前など）に撮像された領域と撮像領域を同じにして再検査される場合がある。このような場合、サーバ３０２に保管された歪補正テーブルを再利用することで補正処理に要する時間を短縮できるので、効果的である。
【０１５１】
（実施形態の補足事項）
［１］第２の実施形態では、ＭＲＩ装置２０の内部（歪補正データ保存部１０６）に、各画像データの画像再構成処理で用いられた歪補正データを保存する例を述べた。本発明の実施形態は、かかる態様に限定されるものではない。例えば、第３の実施形態のように、ＭＲＩ装置２０の外部に歪補正データを継続的に保存してもよい。
【０１５２】
［２］第２及び第３の実施形態では、各処理がシリアルに実行される例を述べた。本発明の実施形態は、かかる態様に限定されるものではない。第１の実施形態と、第２の実施形態とを組み合わせてもよい。即ち、第２の実施形態のステップＳ２１において、本スキャンでの撮像領域の確定をトリガとして、（本スキャンなどの他の処理と並行して実行する処理として）歪補正データの計算を開始してもよい。
【０１５３】
同様に、第１の実施形態と、第３の実施形態とを組み合わせてもよい。即ち、第３の実施形態のステップＳ４１において、本スキャンでの撮像領域の確定をトリガとして、（他の処理と並行して実行する処理として）歪補正データの計算を開始してもよい。
【０１５４】
［３］ＭＲＩ装置２０として、静磁場磁石２２、シムコイル２４、傾斜磁場コイル２６、ＲＦコイル２８が含まれるガントリの外にＲＦ受信器４８が存在する例を述べた（図１参照）。これは一例に過ぎず、ＲＦ受信器４８がガントリ内に含まれる態様でもよい。
【０１５５】
具体的には例えば、ＲＦ受信器４８に相当する電子回路基盤をガントリ内に配置する。そして、受信用ＲＦコイルによって電磁波からアナログの電気信号に変換されたＭＲ信号を、当該電子回路基盤内のプリアンプによって増幅し、デジタル信号としてガントリ外に出力し、シーケンスコントローラ５６に入力してもよい。ガントリ外への出力に際しては、例えば光通信ケーブルを用いて光デジタル信号として送信すれば、外部ノイズの影響が軽減されるので、望ましい。
【０１５６】
［４］請求項の用語と実施形態との対応関係を説明する。なお、以下に示す対応関係は、参考のために示した一解釈であり、本発明を限定するものではない。
静磁場磁石２２、シムコイル２４、傾斜磁場コイル２６、ＲＦコイル２８、制御装置３０の全体（図１参照）が、傾斜磁場の印加及びＲＦパルスの送信を伴ったスキャンにより被検体ＰからＭＲ信号を収集する機能は、請求項記載のデータ収集部の一例である。
【０１５７】
静磁場磁石２２、シムコイル２４、傾斜磁場コイル２６、ＲＦコイル２８、制御装置３０の全体（図１参照）が、傾斜磁場及びＲＦパルスの印加を伴ってＭＲ信号を収集し、プレスキャンを実行する構成は、請求項記載のプレスキャン実行部の一例である。
【０１５８】
［５］本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５９】
２０  ＭＲＩ装置
２２  静磁場磁石
２４  シムコイル
２６  傾斜磁場コイル
２６ｘ  Ｘ軸傾斜磁場コイル
２６ｙ  Ｙ軸傾斜磁場コイル
２６ｚ  Ｚ軸傾斜磁場コイル
２８  ＲＦコイル
３０  制御装置
３２  寝台
３４  天板
３６  ＥＣＧユニット
４０  静磁場電源
４２  シムコイル電源
４４  傾斜磁場電源
４４ｘ  Ｘ軸傾斜磁場電源
４４ｙ  Ｙ軸傾斜磁場電源
４４ｚ  Ｚ軸傾斜磁場電源
４６  ＲＦ送信器
４８  ＲＦ受信器
５６  シーケンスコントローラ
５８  コンピュータ
６０  演算装置
６２  入力装置
６４  表示装置
６６  記憶装置
８６  ＭＰＵ
８８  システムバス
９０  画像再構成部
９８  表示制御部
１００  フーリエ変換部
１０２  画像データベース
１０４  歪補正データ計算部
１０６  歪補正データ保存部
１０８  歪補正部
１１０  ｋ空間データベース
１４０  上半身用ＲＦコイル装置
１４２  カバー部材
１４４、１４６  要素コイル
１７４  デュプレクサ
１７６  アンプ
１７８  切替合成器
１８０  受信系回路
２５０  重複領域
３００  通信ケーブル
３０２  サーバ
Ｐ  被検体
ＷＢ  全身用コイル
【図１】
0005976375.tif 000002
【図２】
0005976375.tif 000003
【図３】
0005976375.tif 000004
【図４】
0005976375.tif 000005
【図５】
0005976375.tif 000006
【図６】
0005976375.tif 000007
【図７】
0005976375.tif 000008
【図８】
0005976375.tif 000009
【図９】
0005976375.tif 000010
【図１０】
0005976375.tif 000011
【図１１】
0005976375.tif 000012
【図１２】
0005976375.tif 000013
【図１３】
0005976375.tif 000014